(57)【特許請求の範囲】
【請求項１】
（ａ）ポストミックス式のディスペンサー、
（ｂ）前記ディスペンサーに給水するために前記ディスペンサーに連結された給水管路、
（ｃ）前記給水管路内に連結された水ポンプ、
（ｄ）カーボネータータンク、及び前記ディスペンサーに炭酸水を供給するための前記カーボネータータンクと前記ディスペンサーとの間に連結された炭酸水管路、
（ｅ）空気袋式水加圧タンク、及び前記ディスペンサーに非炭酸水を供給するために前記加圧タンクと前記ディスペンサーとの間に連結された非炭酸水管路、
（ｆ）前記加圧タンクから前記ディスペンサーに供給される非炭酸水の圧力を感知するための圧力スイッチ、
（ｇ）前記カーボネーター内の水位を感知するためのカーボネーターの水位スイッチ、
（ｈ）前記給水管路に連結された入口ポート、前記カーボネータータンクに連結されたカーボネーター出口ポート、及び前記水加圧タンクに連結された水加圧タンク出口ポートを有する三方弁であって、前記水ポンプとカーボネータータンクとの間が開かれかつ前記水ポンプとの加圧タンクとの間が閉じられた第１の位置と、この第１の位置とは逆の第２の位置とを有し、更に通常は前記第１の位置にある前記弁、
（ｉ）圧力が予定値以下であることを前記圧力スイッチが感知したときに前記加圧タンクに給水するために前記三方弁をその第１の位置からその第２の位置に切り替え、そして圧力が予定の高圧に達したことを前記圧力スイッチが感知したときに前記弁をその第一の位置に戻すように切り替え、更に前記カーボネータータンク内における予定の低い水位を前記水位スイッチが感知したときにこれに給水するために前記ポンプをオンにさせかつ前記水位スイッチが予定の高い水位を感知したときに前記水ポンプをオフにさせるための電気制御回路を備えているポストミックス式分配システム。
【請求項２】
前記制御回路は、前記タンクの両方が水を要求したときに前記弁をその第１の位置に置いて炭酸水を優先させる手段を備えている請求項１に記載のシステム。
【請求項３】
水ポンプとカーボネータータンク及びこれらの間の給水管路を有するカーボネーターを備えたポストミックス式分配システム用の非炭酸水加圧方法であって、
（ａ）前記水ポンプと前記カーボネータータンクとの間の前記給水管路に、両者間を常時開とする三方弁を設け、
（ｂ）前記弁から前記ディスペンサーに至る給水管路に空気袋式水加圧タンクを設け、
（ｃ）前記カーボネーターが水を要求したときに前記ポンプをオンにさせ、そして
（ｄ）前記加圧タンクからの水圧が予定値以下に落ちたときに前記三方弁を切り替えかつ前記ポンプをオンにさせて、これにより前記加圧タンクに給水する諸段階を含んだ方法。
【請求項４】
両方のタンクが水を要求したときに前記カーボネータータンクへの水を優先させるように前記三方弁を前記常時開の位置に位置決めすることを含んだ請求項３に記載の方法。
【発明の詳細な説明】
技術分野
本発明はポストミックス式飲料ディスペンサーに関し、特に非炭酸水用の加圧を提供するシステムに関する。
従来技術及びその課題
分配用システムに別の水ポンプと水加圧タンクを加えることによりかかる水を加圧することが知られている。
本発明は、低費用で同じ利点を提供する。
課題を解決するための手段
カーボネーター用の水ポンプが三方形電磁弁及び制御回路の手段により水の加圧器内に水を圧送するためにも使用されるポストミックス式分配システム用の水の加圧である。
実施例
本発明は、付属図面に関連して読まれたときの以下の詳細な説明からより完全に理解されるであろう。図面において、同様な部材は同様な番号で呼ばれる。
さて、図面を参照すれば、図１は、複数の分配用水栓14を有するポストミックス式の飲料用のディスペンサー12、給水管路16、給水管路16内の水ポンプ18（モーター38により駆動される）、カーボネータータンク20、三方電磁弁22、空気袋式水加圧タンク24、及び圧力スイッチ26を備えたポストミックス式分配システム10を示す。非炭酸水管路28は非炭酸水を使用している給水栓のためにディスペンサーに非炭酸水を供給し、また炭酸水管路30は炭酸水を使っている給水栓のためにディスペンサーに炭酸水を供給する。
水ポンプ18とカーボネータータンク20とは、適宜の標準のカーボネーターとすることができ、かつディスペンサーの内側又はその外部とすることができる。
本発明が図１のポストミックス式分配システム10に加えたものは、三方弁22、空気袋式水加圧タンク24、圧力スイッチ26、及び図２の制御回路である。
図２は図１のポストミックス式分配システム10のための制御回路32を示す。制御回路32は、標準のカーボネータータンク20の部品である水位プローブスイッチ34、プローブスイッチ34の閉鎖により給電されるリレー36、水ポンプ18を運転させるモーター38、及び図１に示された圧力スイッチ26を備える。
三方弁22は水ポンプ18とカーボネータータンク20との間を常時開とする。（タンク20内の水位があるレベルに落ちたとき）水位プローブスイッチ34が閉じると、リレー36に給電され、リレー接点37を閉じてモーター38をオンにさせ、そして希望の高い水位に達してスイッチ34が開きポンプ18をオフにさせるまでタンク20内に水を圧送する。このときはリレー接点40も開き、水を三方弁22からカーボネータータンク20に確実に流す。
別に、非炭酸水管路28内の水圧が予定値、好ましくは6.33gk/cm2（90psi）以下に落ちたときは、水が空気袋式水加圧タンク24を満たすことができるように、水ポンプ18はカーボネータータンク20内に水を圧送せず、水ポンプ18（即ち、モーター38）はオンされ、三方弁は（その第１の位置から第２の位置に）切り替えられる。圧力が予定の高い圧力、好ましくは7.74kg/cm2（110psi）に達した後、圧力スイッチ26が開き、水ポンプ18はオフにされ、そして三方弁は（ポンプとカーボネータータンクとの間が開かれた）その正常位置に戻る。非炭酸水は、水加圧器である空気袋式水加圧タンク24から、空気袋式水加圧タンク24によって加圧された状態で、ディスペンサー12に供給される。
このポストミックス式分配システム10は、炭酸水優先であることを特徴とする。即ち、非炭酸水タンク（空気袋式水加圧タンク24）とカーボネータータンク20との双方が水を要求する場合は、三方弁22は第１の位置に止まり（又はこの位置に切り替わり）、水はカーボネータータンクが一杯になるまでカーボネータータンク20内に圧送されるであろう。即ち、水位スイッチ34が閉じられるとリレー接点40が開き、三方弁22は、圧力スイッチ26が閉じられてもその第２の位置に切り替えられない。
そこで、本発明は、次の諸構成要素、即ち圧力スイッチ、三方弁、空気袋式水加圧タンク、及び電気リレーを加えることにより（標準のリリーフ弁も加えられる）、カーボネーターを、カーボネーター及び水加圧器に変換させる設計を提供する。
本発明の好ましい実施例が以上詳細に説明されたが、本発明の精神及び範囲から離れることなくこれに変更及び変化をなし得ることを理解すべきである。
【図面の簡単な説明】
図１は本発明のポストミックス式分配システムの線図的な説明図である。
図２は本発明の電気制御回路である。
10 ポストミックス式分配システム
12 ディスペンサー
14 分配用水栓
16 給水管路
18 水ポンプ
20 カーボネータータンク
22 三方弁
24 空気袋式水加圧タンク
26 圧力スイッチ
28 非炭酸水管路
30 炭酸水管路
32 制御回路
34 水位スイッチ
36 リレー
38 モーター
40 リレー接点
【図１】
0003651902.tif 000002
【図２】
0003651902.tif 000003